(57)【要約】      （修正有）【課題】リングを装着した者および装着者が視認させることを意図した当事者以外は文字等を認識することが困難であり、刻印する文字等の種類や組み合わせがデザインに影響を与えず、簡単かつ軽量な構造の装飾用リングを提供する。【解決手段】指輪１の外側面２に、その幅方向ｄの中心部近傍で円周方向に沿って帯状に文字、数字、記号、図形などが刻印される文字等刻印部４が形成されている。複数の文字等は文字等刻印部の範囲内で輪郭部外側を除去することにより凸状に配列されている。各文字等の大きさは、指輪を静止させた状態で凝視すれば肉眼で認識できる一方、リングが指に装着され、凝視できない状態では認識することが困難な大きさとする。【選択図】図１
0003210121.tif 000002
【実用新案登録請求の範囲】
【請求項１】
環状のリング本体と、
前記リング本体の外側面に、その幅の一部を利用して周方向に設けられた文字等刻印部と、
前記文字等刻印部において、リング本体が人に装着されて非静止の状態では第三者による視認が困難な大きさで周方向に配列された複数の文字等とを具備したことを特徴とする装飾用リング。
【請求項２】
前記文字等刻印部では、各文字等の輪郭外側が輪郭内側よりも凹状であることを特徴とする請求項１に記載の装飾用リング。
【請求項３】
前記各文字等の縦幅および横幅が0.3mm以上0.8mm以下であることを特徴とする請求項１または２に記載の装飾用リング。
【請求項４】
前記文字等刻印部が、前記リング本体の外側面において、その幅方向の略中央部に設けられたことを特徴とする請求項１ないし３のいずれかに記載の装飾用リング。
【請求項５】
前記文字等刻印部がリング本体の外表面の全周に設けられたことを特徴とする請求項１ないし４のいずれかに記載の装飾用リング。
【請求項６】
前記複数の文字等が、文字、数字、記号および図形の少なくとも一種類を含むことを特徴とする請求項１ないし５のいずれかに記載の装飾用リング。
【請求項７】
前記文字等刻印部の底部と各文字等の表面とは表面状態が異なることを特徴とする請求項１ないし６のいずれかに記載の装飾用リング。
【請求項８】
前記リング本体が、指輪、ブレスレットおよびアンクレットのいずれかであることを特徴とする請求項１ないし７のいずれかに記載の装飾用リング。
【考案の詳細な説明】
【技術分野】
【０００１】
本考案は、装飾用リングに係り、特に、指輪、ブレスレットまたはアンクレットに好適な装飾用リングに関する。
【背景技術】
【０００２】
エンゲージリングやマリッジリングなどの指輪に結婚記念日や名前を彫刻することが一般に行なわれる。また、近年では、更に長い文字／数字列をメッセージとして刻印することも行われている。
【０００３】
指輪等に刻印した文字等は、その装着者が指輪を取り外したり、あるいは装着したままで指を静止させるなどして読み取ることを意図した場合に読み取れれば十分であるが、指輪の外表面に文字列等を刻印すると第三者に読み取られる可能性がある。
【０００４】
このような技術課題に対して、特許文献１には、指輪を装着している人だけがその文字や記号を容易に読み取れるようにすることを目的として、指輪の外表面および側面に連続して文字／記号を刻印する技術が開示されている。
【０００５】
特許文献２には、複数のリングを回動可能に連結した指輪において、各リングの合接面に文字等を刻印することで、文字／記号を第三者が容易に読み取れないように刻印する技術が開示されている。
【先行技術文献】
【特許文献】
【０００６】
【特許文献１】特開2014-068658号公報
【特許文献２】特開2006-296744号公報
【考案の概要】
【考案が解決しようとする課題】
【０００７】
特許文献１では、各文字が大きくて目立つので、刻印する文字の種類や組み合わせによって指輪のデザインが変化し、場合によっては美観が大きく損なわれる場合がある。また、刻印する文字の種類や組み合わせによっては、デザイナの意図したデザインが失われる場合もある。また、向きにより視認性を変化させるだけでは、第三者による読み取りを完全には防止できない。
【０００８】
特許文献２では、２つのリングを回動可能に連結しなければならないので、構造が複雑化して重さも増えてしまう。また、構造上の制約が多くなることからデザインの自由度が低下してしまう。
【０００９】
本考案の目的は、上記の技術課題を解決し、リングを装着した者および装着者が視認させることを意図した当事者以外は文字等を認識することが困難であり、刻印する文字等の種類や組み合わせがデザインに影響を与えず、簡単かつ軽量な構造の装飾用リングを提供することにある。
【課題を解決するための手段】
【００１０】
上記の目的を達成するために、本考案は、以下の構成を具備した点に特徴がある。
【００１１】
(1) 環状のリング本体の外側面に、その幅の一部を利用して周方向に設けられた文字等刻印部と、文字等刻印部において、リング本体が人に装着されて非静止の状態では第三者による視認が困難な大きさで周方向に配列された複数の文字等とを具備した。
【００１２】
(2) 文字等刻印部では、各文字等の輪郭外側を輪郭内側よりも凹状にした。
【００１３】
(3) 各文字等の縦幅および横幅を0.3mm以上0.8mm以下にした。
【００１４】
(4) 文字等刻印部をリング本体の外側面において、その幅方向の略中央部に設けた。
【００１５】
(5) 文字等刻印部をリング本体の外表面の全周に設けた。
【００１６】
(6) 複数の複数等が、文字、数字、記号および図形の少なくとも一種類を含むようにした。
【００１７】
(7) 文字等刻印部の底部と各文字等の表面とで表面状態を異ならせた。
【考案の効果】
【００１８】
本考案によれば、以下のような効果が達成される。
【００１９】
(1) 各文字等は、リング本体が人に装着されて非静止の状態では第三者による視認が困難な大きさとされるので、文字等を第三者に読み取られる可能性を極めて低くできるようになる。のみならず、文字列の内容や配置にかかわらず当該文字列が指輪のデザインに及ぼす影響を排除し、指輪の装飾性、審美性を維持できるようになる。
【００２０】
(2) 文字等刻印部では、各文字等の輪郭外側を輪郭内側よりも凹状にしたので、各文字等を際立たせることができる。
【００２１】
(3) 各文字等の縦幅および横幅を0.3mm以上0.8mm以下にしたので、リング本体が人に装着されて非静止の状態では第三者による視認を困難なものにできる。
【００２２】
(4) 文字等刻印部を、リング本体の外側面において、その幅方向の略中央部に設けたので、対称性のあるデザインが可能になる。
【００２３】
(5) 文字等刻印部をリング本体の外表面の全周に設けたので、リング本体の向きや角度にかかわらず同一の美観を維持できるようになる。
【００２４】
(6) 複数の複数等が、文字、数字、記号および図形の少なくとも一種類を含むようにしたので、配列する文字列に様々な意味や観念を持たせることができる。
【００２５】
(7) 文字等刻印部の底部と各文字等の表面とで表面状態を異ならせたので、各文字等を際立たせることができる。
【図面の簡単な説明】
【００２６】
【図１】本考案の一実施形態に係る装飾用リングの側面図である。
【図２】本考案の一実施形態に係る装飾用リングの上面図である。
【図３】本考案の一実施形態に係る装飾用リングの斜視図である。
【図４】刻印する文字等のサイズ例を示した図である。
【図５】文字等刻印部の拡大平面図である。
【図６】図５のA-A線断面図である。
【考案を実施するための形態】
【００２７】
以下、図面を参照して本考案の一実施形態について詳細に説明する。図１は、本考案の一実施形態に係る装飾用リングとしての指輪１の側面図、図２は、その上面図であり、図３は、その斜視図である。
【００２８】
指輪１の外側面２には、その幅方向dの中心部近傍で円周方向に沿って帯状に文字、数字、記号、図形など（以下、文字等３で総称する）が刻印される文字等刻印部４が形成されている。文字等刻印部４では、複数の文字等３が指輪１の円周方向に沿って、文字等刻印部４の範囲内で各文字等３の輪郭部外側を除去することにより凸状に配列されている。
【００２９】
各文字等３の大きさは、指輪１を取り外した状態で凝視すれば肉眼でも認識できる一方、リングが指に装着された状態で実質的に静止せず、凝視できない状態では認識することが困難な大きさとされている。
【００３０】
すなわち、各文字等３の大きさは、指輪の装着者が意識して文字を認識しようと試みれば認識できる一方、第三者が装着者の意に反して読み取ろうとしても読み取り困難なサイズとされる。
【００３１】
そのために、本実施形態では各文字等３のサイズを、図４に示したように、縦幅および横幅が0.3mm以上0.8mm以下とすることができる。なお、各文字等３の縦幅および横幅は同一である必要はなく、採用する書体等に応じて各幅を異ならせても良いし、文字ごとに異ならせても良い。
【００３２】
このような文字等３の加工には、貴金属の加工に好適なレーザ加工法が好ましいが、イオンビーム加工法、電子ビーム加工法、切削加工法、電解加工法、放電加工法あるいはエッチング法なども適用できる。前記レーザ加工法としては、主にガス（CO2）レーザ、ヤグレーザ、UVレーザ、YAGレーザ、エキシマレーザ、半導体レーザを用いることができる。
【００３３】
図５は、前記文字等刻印部４の拡大平面図であり、図６は、そのA-A線断面図である。
【００３４】
各文字等３は、その輪郭外側から隣接文字の輪郭および文字等刻印部４の円周方向の輪郭平行線までを前記レーザ加工技術、若しくは化学的又は物理的加工により除去して輪郭内側を残すことで凸状に形成される。換言すれば、文字等刻印部４では、各文字等３の輪郭外側が輪郭内側よりも凹状である。
【００３５】
文字等刻印部４の凹部（底部）５は、文字等３の表面との光沢、質感、表面処理等を異ならせることで光の反射を異ならせ、これにより各文字等３を際立たせることができるように、リング表面すなわち文字表面に較べて極めて粗な表面加工状態となっている。
【００３６】
本考案によれば、指輪の表面に刻印する文字等３が第三者には認識不能あるいは認識困難な大きさとされるので、刻印した文字等を第三者に読み取られる可能性を極めて低くできるようになる。
【００３７】
また、本実施形態によれば、各文字等３が第三者にとっては認識不能あるいは認識困難とされる大きさで刻印されるので、文字列の内容や配置にかかわらず当該文字列が指輪のデザインに及ぼす影響を排除し、指輪の装飾性、審美性をデザイナの意図したものとすることができる。
【００３８】
さらに、本実施形態によれば、文字列を指輪の外表面の全周に渡って刻印できるので、指輪の向き、角度にかかわらず同質の美観を維持できるようになり、また、文字等刻印部を、リング本体の外側面において、その幅方向の略中央部に設けたので、対称性のあるデザインが可能になる。
【００３９】
なお、上記の実施形態では本考案を指輪に適用して説明したが、本考案はこれのみに限定されるものではなく、環状のリング本体を有する装飾用アクセサリであれば、ブレスレットやアンクレットにも同様に適用することができる。
【００４０】
また、上記の実施形態では、リングを装着した者および装着者が視認させることを意図した当事者以外は文字等を認識できなくするために、各文字等の縦幅および横幅を0.3mm以上0.8mm以下に制限するものとして説明したが、文字等の認識性は文字の種類や書体等にも依存する。したがって、例えば認識し易い文字のみで構成されるような場合には0.3mm未満のサイズも許容し、認識し難い文字のみで構成されるような場合には0.8mmを超えるサイズも許容するようにしても良い。
【符号の説明】
【００４１】
１…指輪，２…外側面，３…文字等，４…文字等刻印部，５…文字等刻印部の凹部（底部）
【図１】
0003210121.tif 000003
【図２】
0003210121.tif 000004
【図３】
0003210121.tif 000005
【図４】
0003210121.tif 000006
【図５】
0003210121.tif 000007
【図６】
0003210121.tif 000008